(57)【要約】      （修正有）【課題】１枚のシート基材によって簡単に組み立てることができる立体式ラベルを提供する。【解決手段】立体式ラベルＡ１を構成するシート基材１０の一部に粘着剤層が設けられた貼付部１１を形成する一方、粘着剤層が設けられていない部分に、表示部用折り目線１３ａにおいて折り曲げられて起立される立体表示部１３を設けると共に、表示部用折り目線において折り曲げられて起立された立体表示部を補助する補助支持部１４，１５を設けた。【選択図】図４
2008164978.tif 000002
【特許請求の範囲】
【請求項１】
シート基材の一部に粘着剤層が設けられた貼付部が形成される一方、粘着剤層が設けられていない部分に、表示部用折り目線において折り曲げられて起立される立体表示部が設けられると共に、表示部用折り目線において折り曲げられて起立された立体表示部を補助する補助支持部が設けられていることを特徴とする立体式ラベル。
【請求項２】
請求項１に記載の立体式ラベルにおいて、上記の立体表示部とその周囲における周辺部とに分離させる切込みが形成され、この周辺部を折り曲げて起立させる周辺部用折り目線が形成されると共に、この周辺部と立体表示部とを連結する連結部が設けられ、上記の周辺部と連結部とが起立された立体表示部を補助する補助支持部になっていることを特徴とする立体式ラベル。
【請求項３】
請求項１に記載の立体式ラベルにおいて、上記の補助支持部が支持部用折り目線によって折り曲げ可能に形成され、この補助支持部の先端部に差込部が設けられると共に、上記の起立された状態にある立体表示部にこの補助支持部の差込部を挿入させる差込穴が設けられてなることを特徴とする立体式ラベル。
【発明の詳細な説明】
【技術分野】
【０００１】
この発明は、物品に貼付するラベルに係り、特に、立体的な表示が行える立体式ラベルを１枚のシート基材によって簡単に組み立てることができるようにした点に特徴を有するものである。
【背景技術】
【０００２】
従来から、物品の名称、特徴、使用方法、製造者、製造日等の各種情報を表示するために物品にラベルを貼付することが行われている。
【０００３】
しかし、従来のラベルにおいては、一般にこれらの情報をラベル表面に平面的に表示させるようにしているだけであるため、顧客の注意を十分に喚起して、情報を効果的に伝達させる機能が弱いという問題があった。
【０００４】
このため、近年においては、裏面に粘着剤を塗布した基部シートの表面に、一部で不連続な切り込みによって立体表示部を区画形成した表示シートを、立体表示部を離反可能にする一方、立体表示部が形成されている部分を残して、立体表示部の外側部分を剥離困難に接着させ、上記の立体表示部を基部シートから離反させて起立状態を維持させるようにした立体式ラベルが提案されている（例えば、特許文献１参照。）。
【０００５】
しかし、このような立体式ラベルの場合、基部シートと表示シートとの２枚のシートが必要になると共に、表示シートの立体表示部の部分を残して、立体表示部の外側部分を基部シートに接着させることが必要になり、その製造が面倒であると共に、コストも高くつくという問題があった。
【特許文献１】特開２００４‐１１７６３８号公報
【発明の開示】
【発明が解決しようとする課題】
【０００６】
この発明は、ラベルにおける問題を解決することを課題とするものであり、特に、立体的な表示が行えるようにした立体式ラベルにおける上記のような問題を解決することを課題とするものである。
【０００７】
すなわち、この発明においては、上記のような立体式ラベルを１枚のシート基材によって簡単に組み立てることができるようにすることを課題とするものである。
【課題を解決するための手段】
【０００８】
この発明における立体式ラベルにおいては、上記のような課題を解決するため、シート基材の一部に粘着剤層が設けられた貼付部を形成する一方、粘着剤層が設けられていない部分に、表示部用折り目線において折り曲げられて起立される立体表示部を設けると共に、表示部用折り目線において折り曲げられて起立された立体表示部を補助する補助支持部を設けている。
【０００９】
ここで、上記の立体式ラベルにおいては、上記の立体表示部とその周囲における周辺部とに分離させる切込みを形成し、この周辺部を折り曲げて起立させる周辺部用折り目線を形成すると共に、この周辺部と立体表示部とを連結する連結部を設け、上記の周辺部と連結部とを起立された立体表示部を補助する補助支持部として用いるようにすることができる。
【００１０】
また、上記の立体式ラベルにおいては、上記の補助支持部を支持部用折り目線によって折り曲げ可能に形成し、この補助支持部の先端部に差込部を設けると共に、上記の起立された状態にある立体表示部にこの補助支持部の差込部を挿入させる差込穴を設けるようにすることができる。
【発明の効果】
【００１１】
この発明における立体式ラベルにおいては、１枚のシート基材の一部に設けられた貼付部の粘着剤層によって、この立体式ラベルを商品のパッケージ等の被貼付体に貼付させる一方、粘着剤層が設けられていない部分に形成された立体表示部を表示部用折り目線において折り曲げて起立させると共に、上記の補助支持部によって起立された立体表示部を補助させるようになっている。
【００１２】
このため、この発明における立体式ラベルにおいては、上記の従来の立体式ラベルのように、基部シートと表示シートとの２枚のシート基材を用いる必要がなくなると共に、表示シートの立体表示部の部分を残して、立体表示部の外側部分を基部シートに接着させるという面倒な作業も必要なくなり、その製造が著しく容易になると共に、コストも大幅に低減される。
【００１３】
また、この発明における立体式ラベルにおいては、上記のように表示部用折り目線において折り曲げられて起立させた立体表示部を補助支持部によって補助させるようにしたため、起立された立体表示部が勝手に倒れるのも抑制され、安定した立体表示が行えるようになる。
【００１４】
また、この発明における立体式ラベルにおいては、上記のように表示部用折り目線において折り曲げられて起立させた立体表示部を補助支持部によって補助させる前の状態では、ほぼ平面状態で維持されて嵩張るということがなく、上記のように粘着剤層によって商品やそのパッケージ等に貼付させた状態でも、この立体式ラベルが邪魔になるということも少ない。
【発明を実施するための最良の形態】
【００１５】
以下、この発明の実施形態に係る立体式ラベルを添付図面に基づいて具体的に説明する。なお、この発明に係る立体式ラベルは、下記の実施形態に示したものに限定されるものではなく、その要旨を変更しない範囲において適宜変更して実施できるものである。
【００１６】
（実施形態１）
実施形態１における立体式ラベルＡ１においては、図１に示すように、長方形状になったシート基材１０の片面の一端側に粘着剤層１１ａが塗布された貼付部１１を形成すると共に、粘着剤層１１ａが設けられていない部分の中央部に溝型状に切込み１２を設けて、粘着剤層１１ａが設けられていない部分を立体表示部１３とその周囲における周辺部１４とに分離させるようにしている。
【００１７】
そして、この立体表示部１３と上記の粘着剤層１１ａが設けられた貼付部１１との境界部分に、この立体表示部１３を起立させるように折り曲げるためのミシン目からなる表示部用折り目線１３ａを形成している。
【００１８】
また、上記の周辺部１４を折り曲げて上記の立体表示部１３と所要間隔を介した位置で起立させるためのミシン目からなる周辺部用折り目線１４ａを両側部に形成すると共に、上記の立体表示部１３の両側において周辺部１４と連結させる連結部１５及びこの連結部１５を連結させる立体表示部１３両側の基部を形成するための切込み１５ａを、上記の表示部用折り目線１３ａの両端部からそれぞれ上記の周辺部用折り目線１４ａと交差するように形成している。
【００１９】
そして、この連結部形成用切込み１５ａと上記の切込み１２との間に、連結部１５を立体表示部１３との接続部及び周辺部１４との接続部において折り曲げるための所要間隔を介した一対のミシン目からなる連結部用折り目線１５ｂを形成している。
【００２０】
ここで、この立体式ラベルＡ１に用いる上記のシート基材１０としては、耐折り曲げ性等に優れたポリエチレンテレフタレート，塩化ビニル等の樹脂シートや厚紙等を用いることができる。
【００２１】
そして、この実施形態１の立体式ラベルＡ１においては、図２に示すように、上記の長方形状になったシート基材１０の状態のままで、或いは、図３に示すように、上記の各折り目線１３ａ，１４ａ，１５ｂにより上記の立体表示部１３及び周辺部１４を貼付部１１に対して折り返した状態にして、上記の貼付部１１に塗布された粘着剤層１１ａによってこの立体式ラベルＡ１を商品のパッケージ等の被貼付体１の上に貼付させるようにする。
【００２２】
このようにすると、この立体式ラベルＡ１がほぼ平面状態で被貼付体１の上に貼付され、搬送時などにこの立体式ラベルＡ１が邪魔になるということが少ない。
【００２３】
そして、このように被貼付体１に貼付された立体式ラベルＡ１を立体的にして表示させるにあたっては、図４及び図５に示すように、上記の立体表示部１３と周辺部１４とを上記の表示部用折り目線１３ａと周辺部用折り目線１４ａとにおいて折り曲げ、立体表示部１３と周辺部１４とを所要間隔を介した位置で起立させると共に、上記の連結部用折り目線１５ｂにより上記の連結部１５を立体表示部１３との接続部及び周辺部１４との接続部において折り曲げて、この連結部１５によって立体表示部１３と周辺部１４とを所要間隔を介した状態で連結させるようにする。
【００２４】
このようにすると、上記の立体表示部１３が、周辺部１４と連結部１５とからなる補助支持部により補助されて勝手に倒れるのが抑制され、安定した立体表示が行えるようになる。
【００２５】
なお、この実施形態１の立体式ラベルＡ１においては、貼付部１１における上記の粘着剤層１１ａを立体表示部１３との境界部分となる表示部用折り目線１３ａの位置及びこの表示部用折り目線１３ａを延長させた両側の位置まで設けるようにしただけであるが、図６に示すように、表示部用折り目線１３ａの両側において、周辺部１４との境界部分となる上記の周辺部用折り目線１４ａの位置にまで設けることも可能である。そして、このように粘着剤層１１ａを周辺部１４との境界部分となる周辺部用折り目線１４ａの位置にまで設けると、この立体式ラベルＡ１を被貼付体１の上に貼付させた状態で、周辺部１４を周辺部用折り目線１４ａの位置で折り曲げる作業がより簡単に行えるようになると共に、より安定した立体表示が行えるようになる。
【００２６】
また、上記の立体式ラベルＡ１においては、補助支持部として用いる上記の周辺部１４にも各種の表示を行うようにすることができる。
【００２７】
（実施形態２）
実施形態２における立体式ラベルＡ２においては、図７に示すように、シート基材２０の長方形状になった部分に粘着剤層２１ａが塗布された貼付部２１と粘着剤層２１ａが設けられていない立体表示部２２とを設けると共に、この立体表示部２２と上記の貼付部２１を介した反対側の位置に、立体表示部２２が起立されたときにこの立体表示部２２を補助する補助支持部２３を上記の長方形状になった部分の中央部から延出させている。
【００２８】
そして、上記の貼付部２１と立体表示部２２との境界部分に、立体表示部２２を起立させるように折り曲げるためのミシン目からなる表示部用折り目線２２ａを形成する一方、上記の貼付部２１と補助支持部２３との境界部分に、この補助支持部２３を折り曲げるためのミシン目からなる支持部用折り目線２３ａを形成している。
【００２９】
また、上記の補助支持部２３の先端部から差込部２４を突出させ、この差込部２４をミシン目からなる差込部用折り目線２４ａによって補助支持部２３に対して折り曲げられるようにする一方、上記の立体表示部２２にこの差込部２４を挿入させる差込穴２５を設けている。
【００３０】
そして、この実施形態２の立体式ラベルＡ２においては、図８に示すように、上記のシート基材２０を伸ばしたままの状態で、或いは、図９に示すように、上記の表示部用折り目線２２ａにより立体表示部２２を貼付部２１に対して折り返した状態にして、上記の貼付部２１に塗布された粘着剤層２１ａにより、この立体式ラベルＡ２を商品のパッケージ等の被貼付体１の上に貼付させるようにする。
【００３１】
このようにすると、この立体式ラベルＡ２がほぼ平面状態で被貼付体１の上に貼付され、搬送時などにこの立体式ラベルＡ２が邪魔になるということが少ない。
【００３２】
そして、このように被貼付体１に貼付された立体式ラベルＡ２を立体的にして表示させるにあたっては、図１０及び図１１に示すように、上記の立体表示部２２を表示部用折り目線２２ａにおいて折り曲げて起立させると共に、上記の補助支持部２３を支持部用折り目線２３ａにおいて立体表示部２２に向けて折り曲げ、この補助支持部２３の先端部に設けられた差込部２４を上記の立体表示部２２に設けられた差込穴２５に差し込み、この差込部２４を上記の差込部用折り目線２４ａにより少し折り曲げるようにする。
【００３３】
このようにすると、上記の差込部２４により補助支持部２３が立体表示部２２から簡単に外れるということがなく、上記のように起立された立体表示部２２がこの補助支持部２３により補助されて勝手に倒れるのが抑制され、安定した立体表示が行えるようになる。
【００３４】
なお、この実施形態１，２の各立体式ラベルＡ１，Ａ２においては、各折り目線をミシン目で構成するようしたが、各折り目線を所要深さ切り込んだ切込み線で構成することも可能である。
【図面の簡単な説明】
【００３５】
【図１】この発明の実施形態１に係る立体式ラベルの概略平面図である。
【図２】上記の実施形態１に係る立体式ラベルをシート基材の状態のままで、被貼付体に貼付させた状態を示した概略平面図である。
【図３】上記の実施形態１に係る立体式ラベルにおける立体表示部及び周辺部を貼付部に対して折り返した状態で、被貼付体に貼付させた状態を示した概略平面図である。
【図４】被貼付体に貼付させた上記の実施形態１に係る立体式ラベルを、立体的に表示させた状態を示した概略斜視図である。
【図５】被貼付体に貼付させた上記の実施形態１に係る立体式ラベルを、立体的に表示させた状態を示した概略側面図である。
【図６】上記の実施形態１に係る立体式ラベルにおいて、被貼付体に貼付させる粘着剤層を周辺部との境界部分となる周辺部用折り目線の位置にまで設けた変更例の概略平面図である。
【図７】この発明の実施形態２に係る立体式ラベルの概略平面図である。
【図８】上記の実施形態２に係る立体式ラベルをシート基材の状態のままで、被貼付体に貼付させた状態を示した概略平面図である。
【図９】上記の実施形態２に係る立体式ラベルにおける立体表示部を貼付部に対して折り返した状態で、被貼付体に貼付させた状態を示した概略平面図である。
【図１０】被貼付体に貼付させた上記の実施形態２に係る立体式ラベルを、立体的に表示させた状態を示した概略斜視図である。
【図１１】被貼付体に貼付させた上記の実施形態２に係る立体式ラベルを、立体的に表示させた状態を示した概略側面図である。
【符号の説明】
【００３６】
１  被貼付体
Ａ１，Ａ２  立体式ラベル
１０  シート基材
１１  貼付部
１１ａ  粘着剤層
１２  切込み
１３  立体表示部
１３ａ  表示部用折り目線
１４  周辺部（補助支持部）
１４ａ  周辺部用折り目線
１５  連結部（補助支持部）
１５ａ  切込み
１５ｂ  連結部用折り目線
２０  シート基材
２１  貼付部
２１ａ  粘着剤層
２２  立体表示部
２２ａ  表示部用折り目線
２３  補助支持部
２３ａ  支持部用折り目線
２４  差込部
２４ａ  差込部用折り目線
２５  差込穴
【図１】
2008164978.tif 000003
【図２】
2008164978.tif 000004
【図３】
2008164978.tif 000005
【図４】
2008164978.tif 000006
【図５】
2008164978.tif 000007
【図６】
2008164978.tif 000008
【図７】
2008164978.tif 000009
【図８】
2008164978.tif 000010
【図９】
2008164978.tif 000011
【図１０】
2008164978.tif 000012
【図１１】
2008164978.tif 000013